(57)【特許請求の範囲】
【請求項１】
天板の下面に２本の案内レールを平行に配置して固設し、該２本の案内レールに夫々係止部材を、案内レールの長手方向に摺動可能にして設け、２本の保持ベルトを前記２本の案内レールの延長線上に配置して平行に設けるとともに該各保持ベルトの一端を前記係止部材に固着し、各保持ベルトの他端を天板の下面に固着し、前記案内レールと前記係止部材には、係止部材を案内レールの長手方向の一端側と他端側に係止できる係止手段を設け、更に、前記２本の保持ベルト間には可撓性の収納用シートを架設したことを特徴とするテーブルにおける収納装置。
【発明の詳細な説明】
【０００１】
【発明の属する技術分野】
本発明はテーブルにおける収納装置に関する。
【０００２】
【従来の技術】
従来、パソコンを載置するテーブルにおいては種々な配線が施されており、その配線のコンセントを使用しない場合にはそのコンセントの収納部が必要となる。
【０００３】
そのため、従来、前記のコンセントを不使用時に収納する方法として、例えば図８に示すように、テーブルの天板１０１の下面に、鉄板からなる収納棚１０２を設けたものが知られている。
【０００４】
【発明が解決しようとする課題】
前記従来のような収納棚１０２により収納する方法においては、収納物がない場合においても収納棚１０２が天板１０１の下面より常に突出しているため、使用者が着座した場合に収納棚１０２が邪魔になる問題がある。
【０００５】
そこで本発明は、前記のようなコンセントやその他の物を収納でき、また不収納時には、邪魔にならない形態にできるテーブルにおける収納装置を提供することを目的とするものである。
【０００６】
【課題を解決するための手段】
上記の課題を解決するために、請求項１記載の発明は、天板の下面に２本の案内レールを平行に配置して固設し、該２本の案内レールに夫々係止部材を、案内レールの長手方向に摺動可能にして設け、２本の保持ベルトを前記２本の案内レールの延長線上に配置して平行に設けるとともに該各保持ベルトの一端を前記係止部材に固着し、各保持ベルトの他端を天板の下面に固着し、前記案内レールと前記係止部材には、係止部材を案内レールの長手方向の一端側と他端側に係止できる係止手段を設け、更に、前記２本の保持ベルト間には可撓性の収納用シートを架設したことを特徴とするものである。
【００１０】
本発明において、係止部材を保持ベルト側、すなわち保持ベルトにおける天板との固着側へ摺動することにより、保持ベルトが、その中央部が下方へ撓むように曲がり、これにより収納用シートもその中央部が下方へ撓むように曲がり、収納用シートと天板間に収納用空間が形成される。したがって、この収納用空間内にコードのコンセントやその他の収納物を収納できる。
【００１１】
また、収納用空間が必要でない場合には、係止部材を前記と反対側へ摺動させることにより、保持ベルトが直線状に張られ、これにより、収納用シートも天板の下面に近接して平面状に張られる。したがって、前記の収納用空間がなくなって収納用シートが使用者の足に邪魔にならない位置におかれる。
【００１２】
【発明の実施の形態】
図１乃至図７に示す実施例に基づいて本発明の好ましい実施の形態を説明する。
【００１３】
図１乃至図６は第１実施例を示す。
【００１４】
図１において、１はテーブルの天板を示し、符号Ｆ側が使用者が着座する前側であり、Ｂが後側である。
【００１５】
前記天板１の下面における左右側には、一対の案内レール２，３が夫々前後方向に向って固設され、相互に平行して設けられている。更に、該案内レール２，３は、その前後方向の長さを天板１の前後方向長の半分より短くして天板１の下面の前半部分に配置されている。
【００１６】
前記案内レール２，３は図３に示すように、上壁４と両側壁５，６と、該両側壁５，６の下端から内側へ若干突出した両底壁７，８とで形成され、内部に上壁４と両底壁５，６により案内空間部９，１０を形成し、また、両底壁７，８間に開口部１１が形成されている。更に、前記案内空間部９，１０及び開口部１１は案内レール２，３の長手方向の全長に亘って形成され、かつ、少なくとも案内レール２，３の内側端、すなわち後述する保持ベルト１３の挿入口側が開口している。図において、１２は保持ベルト１３の挿入口を示す。
【００１７】
１３，１３は保持ベルトで、前記案内レール２，３から延出するように案内レール２，３の長手方向に沿って、すなわち、案内レール２，３の延長線上に配置されているとともにその一端１３ａ側が案内レール２，３内に摺動可能に挿入され、他端１３ｂがビスなどの適宜固定手段１４により天板１の下面に固着されている。該保持ベルト１３は、皮や樹脂板などの腰のある可撓性材料で形成されているとともに、その長さは図２の実線で示すように、直線状とした場合に、一端１３ａ側が案内レール２，３の略前端部に位置するような長さに設定されている。
【００１８】
前記保持ベルト１３の一端１３ａには平板状の係止部材１５が固着されている。該係止部材１５は例えば図３に示すように形成されており、基部１５ａの先に２股状の係止片１５ｂ，１５ｃを突設し、該係止片１５ｂ，１５ｃが内外方向に弾性をもって撓むように樹脂により形成されている。更に、その両係止片１５ｂ，１５ｃの略中央部の外面には係止手段である係止突部１５ｄ，１５ｅが突設され、該係止突部１５ｄ，１５ｅより先の外面は内側へ傾斜するテーパ面１５ｆ，１５ｇになっている。更に、前記両係止片１５ｂ，１５ｃの通常形状は、図４に示すように、その外面間の幅Ｗ１が前記案内レール２，３における両側壁５，６の内のり寸法Ｗ２と略同等で、また、両係止突部１５ｄ，１５ｅの先端間の幅Ｗ３が前記内のり寸法Ｗ２よりも大きく設定されている。
【００１９】
更に前記両係止片１５ｂ，１５ｆの先部下面には、夫々ピン状のレバー１５ｈ，１５ｉが一体に垂設され、該両レバー１５ｈ，１５ｉが案内レール２，３の開口部１１から下方へ突出するようになっている。
【００２０】
前記案内レール２，３の両側壁５，６には、案内レール２，３の前方側に位置する前側係止穴１６と案内レール２，３の後方側に位置する後側係止穴１７が形成されており、該両係止穴１６，１７に前記係止部材１５の両係止突部１５ｄ，１５ｅが嵌合係止するようになっている。該両径押し穴１６，１７が前記係止突部１５ｄ，１５ｅとともに係止手段を構成している。
【００２１】
前記両保持ベルト１３，１３間には収納用シート１８が架設され、該収納用シート１８の左右端が両保持ベルト１３，１３の下面に固着されている。この収納用シート１８と保持ベルト１３との固着は、例えば図３に示すように縫製で行う。１９はそのミシン目を示す。したがって、収納用シート１８の前端１８ａは係止部材１５によって前後方向へ移動可能であり、後端１８ｂは保持用ベルト１３を介して固定手段１４により天板１に固定されている。更に、該保持シート１８は、図の例ではネットを使用しているが、その他、可撓性の材料からなるシートであれば良い。
【００２２】
以上の構造において、前記のコードのコンセントやその他の収納物を収納しない場合には、両保持ベルト１３に固着された両係止部材１５を図１及び図２に示すように両案内レール２，３の前方へ移動し、その係止部材１５の係合突部１５ｄ，１５ｅを案内レール２，３の前側係止穴１６に嵌合係止させる。この状態では、両保持ベルト１３が図１及び図２の実線で示すように直線状となり、両保持ベルト１３，１３間に架設された収納用シート１８は平板状に張られて天板１の下面に近接し、該保持シート１８が使用者の足に干渉することなく、邪魔にならない。
【００２３】
次に、コンセントなどの収納物を収納する場合には、前記の状態から、係止部材１５の両レバー１５ｈ，１５ｉを、手によって、その相互の対向間隔が縮小するように押して両係止片１５ｂ，１５ｃを図４の矢印方向へ移動させ、係合突部１５ｄ，１５ｅを前側係止穴１６より内側へ外す。そして、この外した状態を保持して両レバー１５ｈ，１５ｉにより両係止部材１５を天板１の後方へ摺動させる。そして、その係合突部１５ｄ，１５ｅが後側係止穴１７の位置に達すると、両係止片１５ｂ，１５ｃの復元力により両係合突部１５ｄ，１５ｅが後側係止穴１７に嵌入係合し、その位置が保持される。
【００２４】
このように両係止部材１５，１５を後方へ移動させると、該両係止部材１５，１５に設けられた両保持ベルト１３，１３が、図５及び図６に示すように、その中央部が下方へ撓んだ状態になり、収納用シート１８も同様に撓む。これにより、収納用シート１８と天板１との間に収納用空間２０が形成され、かつ、収納用シート１８の左右端に開口部２１，２２が形成される。したがって、開口部２１，２２からコンセントなどの収納物２３を挿入して、図６に示すように収納用シート１８上に収納することができる。
【００２５】
図７は第２実施例を示す。
【００２６】
本第２実施例は、前記第１実施例における案内レール２，３の内側の側壁６に、案内レール２，３の全長に亘る開口部１１Ａを形成し、底壁に前記両レバー１５ｈ，１５ｉが突出できる開口部１１Ｂを、両レバー１５ｈ，１５ｉの摺動範囲に亘って形成して、案内レール２Ａ（３Ａ）としたものである。
【００２７】
更に、前記第１実施例における保持ベルト１３を２枚重ねとし、該２枚の保持ベルト１３Ａ，１３Ｂ間に前記の収納用シート１８の端部を介在して縫製し、収納用シート１８を保持ベルト１３に固着したものである。
【００２８】
その他の構造は前記第１実施例と同様であるため、前記と同一部分には同一の符号を付してその説明を省略する。
【００２９】
本第２実施例においては、係止部材１５を案内レール２Ａ（３Ａ）内に摺動可能に嵌入し、収納用シート１８を案内レール２Ａ（３Ａ）の内側の側壁６に形成した開口部１１Ａより外へ出す。
【００３０】
本第２実施例においても、前記第１実施例と同様の作用、効果を発揮できる。
【００３１】
【発明の効果】
以上のようであるから、本発明によれば、収納用シートを撓ませることにより、該収納用シートと天板との間に収納用空間を形成でき、該収納用空間にコードのコンセントなどの収納物を収納できる。
【００３２】
また、収納用シートの不使用時には、該収納用シートを平板状に張ることにより、収納用シートが足の邪魔にならない。
【図面の簡単な説明】
【図１】  本発明の第１実施例を示す斜視図で、収納用シートの不使用状態であり、天板は鎖線で示す。
【図２】図１におけるＡ−Ａ線拡大断面図。
【図３】本発明の第１実施例における案内レールと係止部材部を示す一部の斜視図。
【図４】  図３における案内レールと係止部材の底面図。
【図５】図１の状態から、収納用シートを使用状態にした図。
【図６】図５におけるＣ−Ｃ線断面図。
【図７】  本発明の第２実施例を示す案内レールと係止部材部を示す一部の斜視図。
【図８】従来の収納箱を示す正面図。
【符号の説明】
１      天板
２，３  案内レール
１３    保持ベルト
１４    固定手段
１５    係止部材
１５ｄ，１５ｅ    係止手段である係止突部
１６，１７        係止手段である係止穴
１８    収納用シート
１８ａ  収納用シートの一端側である前端
１８ｂ  収納用シートの他端側である後端
【図１】
0003908942.tif 000002
【図２】
0003908942.tif 000003
【図３】
0003908942.tif 000004
【図４】
0003908942.tif 000005
【図５】
0003908942.tif 000006
【図６】
0003908942.tif 000007
【図７】
0003908942.tif 000008
【図８】
0003908942.tif 000009